(57)【要約】【課題】下水管に水だけが流入するのならばほとんど問題はない。しかしながら、現実的には下水管には、土壌、砂、更には種々のゴミ等が自然と、又は人為的に混入してくる。これらは、激しい流れがあれば下流に移動するが、雨が少なく流速や流量が小さい時には、どうしても滞留することになる。一旦、ある場所で滞留するとその場所に加速度的に土壌や砂、ゴミ等が堆積する。そこで、そのような困難な清掃作業が不要で、土壌やゴミ等の堆積を大きく軽減する装置を提供する。【解決手段】 下水管内に、下水管内物移移方向に傾斜した多数のノズルを有する噴射パイプを挿入し、該噴射パイプは噴射物搬送機に接続されているもの。【選択図】  図１
2008223300.tif 000002
【特許請求の範囲】
【請求項１】
下水管内に、下水管内物移移方向に傾斜した多数のノズルを有する噴射パイプを挿入し、該噴射パイプは噴射物搬送機に接続されていることを特徴とする下水管内物移送装置。
【請求項２】
該ノズルは、該噴射パイプに１０ｃｍ〜１ｍごとに設けられたものである請求項１記載の下水管内物移送装置。
【請求項３】
該噴射物はエアーである請求項１又は２記載の下水管内物移送装置。
【請求項４】
該噴射物は水である請求項１又は２記載の下水管内物移送装置。
【発明の詳細な説明】
【技術分野】
【０００１】
本発明は、下水管内物移送装置に関するものである。
【背景技術】
【０００２】
下水は、各家庭や工場から地上配管を通り地下の下水道に排出される。この下水道は種々のサイズの管状のものであり、一般には鋼管であるが、プラスチック、レンガ、石等どのようなもので構成されていてもよい。下水はこの管を通り、最終的には海に放流される。
【０００３】
この下水道は人的な廃水を海に廃棄するだけでなく、雨等の地上の水を速やかに海に放出することによって洪水を防止するという役目も担っている。よって、これが詰まったり、所定の流量が流れなくなることは大きな問題である。
【０００４】
下水管に水だけが流入するのならばほとんど問題はない。しかしながら、現実的には下水管には、土壌、砂、更には種々のゴミ等が自然と、又は人為的に混入してくる。これらは、激しい流れがあれば下流に移動するが、雨が少なく流速や流量が小さい時には、どうしても滞留することになる。一旦、ある場所で滞留するとその場所に加速度的に土壌や砂、ゴミ等が堆積する。
【０００５】
このようなことを防止するためは、下水管を適当な間隔で掃除すればよいが、地下であることと、ほとんどの配管が人間が入れない等の理由で、非常に困難である。
【発明の開示】
【発明が解決しようとする課題】
【０００６】
そこで、本発明では、そのような困難な清掃作業が不要で、土壌やゴミ等の堆積を大きく軽減する装置を提供する。
【課題を解決するための手段】
【０００７】
以上のような状況に鑑み、本発明者は鋭意研究の結果本発明下水管内物移送装置を完成したものであり、その特徴とするところは、下水管内に、下水管内物移移方向に傾斜した多数のノズルを有する噴射パイプを挿入し、該噴射パイプは噴射物搬送機に接続されている点にある。
【０００８】
ここでいう下水管内とは、下水管の内部であればどこでもいいという意味である。しかし、下水管内の水の量が少ない場合、下水管の径が大きい場合、固形物がある場合等は噴射流体が近く噴射するように噴射パイプは下水管内の下方に設ける方がよい。
噴射パイプが下水内に沈んだ状態でもよい。噴射パイプから流体が噴射されるため問題はない。
このような位置に噴射パイプを固定するのである。固定の方法は、に溶接しても、ボルト等の固定具で固定しても、また置くだけでもよい。要するに、噴射パイプの固定方法は自由である。
【０００９】
このパイプには多数（少なくとも２本以上）のノズルを設ける。ノズルは、下水等を移送する方向に傾斜させて設ける。傾斜の角度は自由であるが水平から数えて３０〜６０度程度である。ここでいう傾斜は、湾曲したものや折れ曲がったものも含む。要するにノズルの排出口が流れ方向を向いて（傾斜していても）いればよい。ノズルは、噴射パイプの外側に設けても内側に設けてもよい。
【００１０】
ノズルを噴射パイプの内側に設け、外側に突出しないようにすると、突起物がなく、ゴミ等が引っ掛からず好適である。内側に設ける方法は、噴射パイプに孔を設け（斜めが好ましい）、そこにノズルを差し込んで突出しないように溶接する方法が簡単である。
【００１１】
また、噴射物（噴射流体）が停止した場合、下水が噴射パイプ内に侵入することがある。これを防止するため、ノズルの噴射口等に逆止弁を設けてもよい。簡単には、開口部の外側に可回転の弁を設けるだけでもよい。
【００１２】
また、下水管内の下方に噴射パイプを設けた場合、少量の水でも効果的に移送できるように、ノズルは噴射パイプの上方だけでなく、左右又は斜め下方、間隙があれば下方に設けてもよい。
ノズルの数や間隔、方向は自由である。しかし、噴射パイプの１０ｃｍ〜１ｍ程度の間隔で全体に設けるのが好ましい。勿論、下水管の傾斜等によって適宜決めればよい。
【００１３】
噴射パイプには噴射物（噴射流体）を導入する。噴射物とは、エアー又は水である。即ち、パイプにこれらの流体を配管又はチューブによって導入すればよい。圧力損失や搬送機の能力を考慮すれば、パイプは所定長さで縁を切るか、まったく別パイプにするかして、それぞれに別個の加圧装置から導入するようにする方がよい。
【００１４】
この噴射パイプは、鋼管でもプラスチック管でもよい。また、サイズは、限定はしないが、設ける下水管のサイズにもよるが、１〜１０ｃｍ程度で十分である。
【００１５】
噴射パイプを下水管内に導入する方法は自由であるが、長いパイプを入れたい場合には、途中でネジやその他の継ぎ手によって接続してもよい。
【００１６】
次に本発明装置の稼動方法について説明する。
本発明装置の噴射物搬送機（エアーコンプレッサーや水搬送用ポンプ）は、連続的に運転し常時噴出していてもよいが、電力費用の軽減のため間欠的に稼動してもよい。また、付近の下水の流れを検知し、その流れが停止しているか一定速度以下になったときに稼動するようにしてもよい。
【００１７】
また、水とエアーの両方を噴射できるようにしてもよい。常時はエアーを噴出し、下水が停滞したり、固形物が堆積したときに水を噴射するようにしてもよい。また下水の傾斜が緩い部分や、それまでの経験からよく滞留するところには水を噴射するようにしてもよい。また、下水の位置や経験的に固形物がよく堆積すると分かっている部分には水を噴射する等のことも可能である。
【００１８】
水を噴射する場合には、上水道を噴射してもよいが、費用の問題や下水の絶対量が増えるという問題から、下水を利用してそれをポンプで噴射してもよい。下水の中に存在する又は構築した水溜部（凹部）から下水をポンプで吸引すれば好適である。ポンプにゴミ等が入らないようにフィルター等を設けてもよい。また、水溜部等に液面計を設け下水量が減ればポンプを止めるようにしてもよい。
【発明の効果】
【００１９】
本発明下水管内物移送装置には次のような効果がある。
（１）  常時又は間欠的に下水を強制的に移送するため、下水管内に水が滞留せず、また固形物の堆積もほとんどなくなる。
（２）  下水の滞留を防止することによって雑菌等の繁殖が著しく減少する。
（３）  固形物の堆積が減少することによって、洪水等が減少する。
（４）  従来の下水管の清掃等はほとんど不要になる。
【発明を実施するための最良の形態】
【００２０】
以下実施例に基づいて、本発明をより詳細に説明する。
【実施例１】
【００２１】
実施例１
図１は、本発明下水管内物移送装置１を示す概略断面図である。長さや太さはここでは誇張されている。噴射パイプ２は、一定長さで前後で密閉され、その一端でポンプ３と接続されている。この例ではポンプは１台であるが複数と接続してもよい。パイプの内側には傾斜したノズル４が多数設けられている。ポンプ３は水溜部５からフィルター（図示せず）を介して下水を吸い上げ噴射パイプ２に送り込む。
ポンプ３は制御可能であり、連続的に運転しても、間欠的であっても、また人が適宜判断して稼動してもよい。更に、水量やその他の状況を検知して自動制御するようにしてもよい。
【００２２】
図２は、噴射パイプ２の内側にノズル４を設けた部分を示す概略断面図である。この図で分かるように、噴射パイプ２の外側には突出物がほとんどなく下水やゴミ等の流れの妨げにならない。また、ノズル４が傾斜して設けられているため、下水等は矢印Ａの方向に移動させられる。
【００２３】
図３は、ノズル４の噴射パイプ２の外側部分に逆止弁６を設けたものを示す。蝶番７で可回転に固定されており、矢印の方向に回動可能である。よって、噴射流体は排出できるが、下水等は噴射パイプ２内には侵入できない。
【００２４】
図４は、本発明下水管内物移送装置１を下水管８内に設けた図である。この例では、噴射パイプ２（噴射パイプは断面していない）は下水管８の下方に位置している。下水管８の下方には下水９が溜まっている。下水９の液面１０は噴射パイプ２より上方である。噴射パイプ２には多数のノズル４が設けられている。この例では噴射パイプが下方に設けらているため、ノズル４はパイプの上方及び側方に設けられている。
これらのノズル４からの水の噴射によって、下水９が矢印Ａの方向に力がかかり、流れを促進する。
【図面の簡単な説明】
【００２５】
【図１】本発明下水管内物移送装置を示す概略断面図である。
【図２】噴射パイプの内側にノズルを設けた部分を示す概略断面図である。
【図３】ノズルの噴射パイプの外側部分の逆止弁付近の概略断面図である。
【図４】本発明下水管内物移送装置を下水管内に設けた概略断面図である。
【符号の説明】
【００２６】
１  本発明下水管内物移送装置
２  噴射パイプ
３  ポンプ
４  ノズル
５  貯留部
６  逆止弁
７  蝶番
８  下水管
９  下水
１０  水面
【図１】
2008223300.tif 000003
【図２】
2008223300.tif 000004
【図３】
2008223300.tif 000005
【図４】
2008223300.tif 000006